(57)【要約】【課題】圧縮機の温度保護に使用する温度センサー動作に対して、最も安全の高い圧縮機駆動装置全体の電源遮断による全機能停止では、外部への異常情報の通信ができない、回路構成が高電圧回路であり高価で大きくなる、という課題を有していた。【解決手段】圧縮機を制御する半導体素子と半導体素子を駆動する直流電源との間に圧縮機の外郭に取付けた温度センサーを接続し、圧縮機の温度保護時に半導体素子の直流電源のみを停止させるように構成したもので、温度保護時でもマイコンによる外部への異常情報の通信を可能とし、低電圧回路、低ノイズにより安価で小さな部品構成で実現できるようにしたものである。【選択図】図１
2014177880.tif 000002
【特許請求の範囲】
【請求項１】
圧縮機を駆動する直流電源で制御される制御回路と、
前記制御回路に電源を供給する電源回路が実装されたプリント基板と、
前記圧縮機の外郭に取り付ける前記プリント基板を収納する収納ケースと、
前記圧縮機の外郭の熱を検知する温度センサーと、を備え、
前記温度センサーは、前記収納ケースの前記直流電源と前記制御回路の間に接続し、前記収納ケースの壁面に備え、
前記温度センサーが前記圧縮機の温度を検知して所定の温度以上になった場合に、前記直流電源を遮断することにより前記圧縮機の運転を停止することを特徴とした圧縮機駆動装置。
【請求項２】
前記プリント基板に備えられたマイコンは、前記温度センサーが遮断する前記圧縮機を駆動する前記制御回路の半導体素子を動作させる前記直流電源とは別の電源で駆動することを特徴とする請求項１記載の圧縮機駆動装置。
【請求項３】
前記半導体素子としてＩＰＭ（インテリジェントパワーモジュール）を使用することを特徴とする請求項２記載の圧縮機駆動装置。
【請求項４】
前記温度センサーが前記圧縮機の温度を検知して所定の温度以上になった場合に、前記マイコンが前記直流電源の電圧値により、前記温度センサーが動作したかどうかを検出することを特徴とする請求項１から３のいずれか一項に記載の圧縮機駆動装置。
【請求項５】
前記マイコンは、前記直流電源の電圧値と前記ＩＰＭからの異常信号とにより、前記圧縮機の異常を区別することを特徴とする請求項４記載の圧縮機駆動装置。
【請求項６】
前記マイコンは、前記温度センサーが所定の温度以上になったとき、前記直流電源の遮断の有無を外部信号出力することを特徴とした請求項１から５のいずれか一項に記載の圧縮機駆動装置。
【請求項７】
請求項１から６のいずれか一項に記載の圧縮機駆動装置を備えた圧縮機。
【請求項８】
請求項７記載の圧縮機を備えた冷蔵庫。
【発明の詳細な説明】
【技術分野】
【０００１】
本発明は、冷蔵庫等に搭載される冷却システムの圧縮機を駆動する圧縮機駆動装置、
および家庭用電気機器に関するものである。
【背景技術】
【０００２】
従来、冷蔵庫等の冷却システムには圧縮機が搭載されており、特にインバータ圧縮機においては、その駆動装置が別に必要であるとともに、例えば特許文献１のように、圧縮機の温度を検出して圧縮機駆動装置への通電を停止する過負荷保護装置が圧縮機の外郭に取付けられた構成となっている。
【０００３】
図６は特許文献１に記載された従来の圧縮機駆動装置の回路接続を示したブロック図、図７は過負荷保護装置の圧縮機への取り付けを示した分解斜視図である。
【０００４】
図６および図７において、圧縮機駆動装置５００は、内部に整流回路５００ａおよび駆動回路５００ｂを持っている。
【０００５】
インバータ方式の圧縮機５０４は、外郭には金属板を曲げ加工したブラケット５０４ａが溶接されているほか、３本の接続端子５０４ｂがブラケット５０４ａの中央位置に設けられている。
【０００６】
圧縮機５０４の温度を検知する過負荷保護装置５０８は、ブラケット５０４ａに密着取付けされており、温度が所定の温度以上になると、内部の接点が開放状態となり、交流電源５１２の圧縮機駆動装置５００への通電が遮断されるように接続されている。
【０００７】
クラスタターミナル５１６は、圧縮機駆動装置５００と接続端子５０４ｂを接続している。
【０００８】
カバー５２０は、過負荷保護装置５０８およびクラスタターミナル５１６を覆うようにブラケット５０４ａに取り付けられており、過負荷保護装置５０８に直接風が当たらないようにして圧縮機５０４の温度検知の検知精度を向上させている。
【０００９】
以上のように構成された圧縮機駆動装置について、以下その動作を説明する。
【００１０】
圧縮機駆動装置５００は、交流電源５１２を電源として、内部の整流回路５００ａにて整流平滑されたＤＣ電圧を駆動回路５００ｂにてスイッチング制御して圧縮機５０４に通電させることによって圧縮機５０４を所望の回転数にて回転させるように制御する。
【００１１】
圧縮機駆動装置５００が動作すると圧縮機駆動装置５００は発熱し、過負荷時には高温になってしまうが、過負荷保護装置５０８はブラケット５０４ａに密着取付けされているため、圧縮機５０４のおんど発熱は過負荷保護装置５０８に熱伝導し過負荷保護装置５０８の温度が所定の温度（たとえば１００℃）以上になると、過負荷保護装置５０８の内部接点が開放状態となる。
【００１２】
過負荷保護装置５０８が開放状態となると圧縮機駆動装置５００への通電は遮断されるため、圧縮機５０４は停止して、圧縮機５０４の温度はそれ以上上昇することはない。
【００１３】
以上のような動作により圧縮機５０４は安全に駆動される。
【先行技術文献】
【特許文献】
【００１４】
【特許文献１】特開２００６−２２６２４８号公報
【発明の概要】
【発明が解決しようとする課題】
【００１５】
しかしながら、上記従来の構成では、過負荷保護装置を圧縮機に取付ける作業が必要になり作業工数が増大するほか、取付けカバーも必要であり、配線の長さがノイズの重畳に影響するという課題を有していた。
【００１６】
そして、従来の保護制御の構成では、異常保護による回路の遮断箇所が機器全体の電源を遮断する場合、機器が完全に停止状態となり、停止させる必要のない機能までも強制的に停止してしまうので他の機能を動作させることができず、外部に対して機器の異常原因、情報を伝達できないという課題を有していた。
【００１７】
本発明は、前記従来の課題を解決するもので、異常保護による回路の遮断箇所である保護対象を圧縮機の駆動のみとして、対象とならない他機能は保護時でも動作継続することにより、外部に対して機器の異常原因、情報の伝達が可能となることで、信頼性が高く使い勝手の良い圧縮機駆動装置を提供することを目的としている。
【課題を解決するための手段】
【００１８】
上記従来の課題を解決するために、本発明の圧縮機駆動装置は、圧縮機を駆動する直流電源で制御される制御回路と、制御回路に電源を供給する電源回路が実装されたプリント基板と、圧縮機の外郭に取り付けるプリント基板を収納する収納ケースと、圧縮機の外郭の熱を検知する温度センサーとを備え、温度センサーは、収納ケースの直流電源と制御回路の間に接続し、収納ケースの壁面に備え、温度センサーが圧縮機の温度を検知して所定の温度以上になった場合に、直流電源を遮断することにより圧縮機の運転を停止することを特徴としたものである。
【００１９】
これにより、圧縮機のみを停止させることができるため、圧縮機の制御に関わらない他機能を継続して動作させることができ、異常表示や連動する機器への異常情報の通信などの外部に対しての機器の異常原因、情報の伝達を行えるため、信頼性が高く使い勝手を向上することができる。
【００２０】
また、異常表示や、連動する機器への異常情報の通信などの、外部に対して機器の異常原因、情報の伝達や、電源ノイズや静電気などによるマイコンが暴走していた時でも、安全に機能を停止させることができる。
【発明の効果】
【００２１】
本発明の圧縮機駆動装置は、信頼性が高く、安全に機能を停止させることが可能となるので、より品質が高い圧縮機の運転を実現する圧縮機駆動装置を提供することができる。
【図面の簡単な説明】
【００２２】
【図１】本発明の実施の形態１における圧縮機駆動装置の分解斜視図
【図２】同実施の形態における圧縮機駆動装置を圧縮機に取付けた状態の側面図
【図３】同実施の形態における圧縮機駆動装置のブロック図
【図４】同実施の形態における保護動作のフローチャート
【図５】本発明の実施の形態２における冷蔵庫の構成図
【図６】先行文献１の圧縮機駆動装置の回路ブロック図
【図７】先行文献１の負荷保護装置の圧縮機への取り付けを示した分解斜視図
【発明を実施するための形態】
【００２３】
第１の発明は、圧縮機を駆動する直流電源で制御される制御回路と、制御回路に電源を供給する電源回路が実装されたプリント基板と、圧縮機の外郭に取り付けるプリント基板を収納する収納ケースと、圧縮機の外郭と熱伝導可能な温度センサーを備え、温度センサーは、収納ケースの前記直流電源と前記制御回路の間に接続し、収納ケースの壁面に備えることで、温度センサーが前記圧縮機の温度を検知して所定の温度以上になったとき、前記直流電源を遮断することにより圧縮機の運転を停止するようにしたものであるので、過負荷保護装置を個別に圧縮機に取付けする必要がなく、過負荷保護装置を個別に圧縮機に取付けする必要がないとともに、負荷保護装置のカバーを必要とせず、配線が壁面取付けでの最短構成であるために、安価で信頼性の高い圧縮機駆動装置を提供することができる。
【００２４】
本発明の圧縮機駆動装置は、格納するケース内での設置により、最短で配線を行えるため、ノイズの重畳を受けにくいので特別なフィルタ回路を要さず、低電圧回路による構成である為に部品数も少なく小型で構成でき、過負荷保護装置を個別に圧縮機に取付けする必要がないため、過負荷保護装置の取付け工数を削減することができるとともに、負荷保護装置のカバーを必要とせず、安価で、従来と同等の安全性で圧縮機駆動装置を提供することができる。
【００２５】
また、圧縮機のみを停止させることができるため、圧縮機の制御に関わらない他機能を継続して動作させることができ、異常表示や連動する機器への異常情報の通信などの外部に対しての機器の異常原因、情報の伝達を行えるため、使い勝手を向上することができる。
【００２６】
また、圧縮機駆動装置の主電源が交流電源であっても、直流電源であっても、接続箇所は同直流電源となることから、温度センサーは同部品・同回路で形成することができるので、交流電源、直流電源に対して共用の開発を行なうことができるので、開発効率を向上することができる。
【００２７】
第２の発明は、第１の発明において、プリント基板内のマイコンは、温度センサーが遮断する前記直流電源とは別電源で構成することにより、過負荷保護時でもマイコンは別機能の動作を継続して行うことができる使い勝手の良い圧縮機駆動装置を提供することができる。
【００２８】
第３の発明は、第２の発明において、圧縮機を駆動する制御回路内の半導体素子にＩＰＭ（インテリジェントパワーモジュール）を使用することにより、圧縮機が過電流に対する過負荷にあったとき、マイコンを介さずに駆動停止することにより、マイコンの駆動状態、暴走時などの状態に関わらず確実に停止できるので、信頼性の高い圧縮機駆動装置を提供することができる。
【００２９】
第４の発明は、第１から３の発明において、温度センサーが圧縮機の温度を検知して所定の温度以上になったとき、マイコンが直流電源の電圧値により、温度センサーが動作したかどうかを検出することにより、マイコンから圧縮機への駆動停止を行なう事ができるので、より安全な圧縮機駆動装置を提供することができる。
【００３０】
第５の発明は、第４の発明において、マイコンは直流電源の電圧値とＩＰＭからの異常信号とにより、圧縮機の異常を区別することにより、過電流による保護、温度による保護、直流電圧の電圧値異常などの原因を特定できることから、保護状態の要因を特定する事
ができるので、より信頼性の高い圧縮機駆動装置を提供することができる。
【００３１】
第６の発明は、第１から５の発明において、マイコンは、温度センサーが所定の温度以上になったとき、直流電源の遮断の有無を外部信号出力することができるので、表示により過負荷保護の異常種別を知らせたり、複合したシステムなどの場合では、他機器に情報を伝えることにより、視覚で異常を察知できたり、より安全で最適なシステム制御を行なうことができる使い勝手の良い圧縮機駆動装置を提供することができる。
【００３２】
第７の発明は、第１から６の発明において、の圧縮機駆動装置を備えた圧縮機とすることにより、安価で信頼性の高い過負荷保護を備えた圧縮機を提供することができる。
【００３３】
第８の発明は、第７の発明において、圧縮機を備えた冷蔵庫とすることにより、安価で信頼性の高い過負荷保護を備えた冷蔵庫を提供することができる。
【００３４】
以下、本発明の実施の形態について、図面を参照しながら説明する。なお、この実施の形態によって本発明が限定されるものではない。
【００３５】
（実施の形態１）
図１は、本発明の実施の形態における圧縮機駆動装置の分解斜視図、図２は、同実施の形態における圧縮機駆動装置を圧縮機に取付けた状態の側面図である。
【００３６】
図１、図２において、変性ポリフェニレンエーテル樹脂等の樹脂により射出成形された収納ケース１０１には、内部にプリント基板１０２が収納できるように、プリント基板１０２の大きさに対して若干大きい開口部１０３を有しており、圧縮機駆動装置取付けの為の孔が設けられた複数の取付け脚１０１ａおよび１０１ｂが設けられている。
【００３７】
プリント基板１０２は、ガラス布・ガラス不織布エポキシ樹脂に銅箔パターンが表面に形成されており、複数の電子部品がはんだ付け実装されている。また、接続用のコネクタ１０４およびコネクタ１０５およびコネクタ１０６も実装されている。また、４箇所の角部には複数の基板取り付け穴１０２ａが設けられている。
【００３８】
収納ケース１０１にはコネクタ１０４およびコネクタ１０５およびコネクタ１０６からのコードを引き出すための開口したコード引出部１０７が形成されており、コードを引き出し作業の後、カバー１０８を取り付けすることによって閉口されるようになっている。
【００３９】
収納ケース１０１の内部４箇所には開口部１０３に向かって突出した突出部１０１ｃが一体成型されて設けられており、この突出部１０１ｃには空洞部を備えた筒状のゴムブッシュ１０９が突出部１０１ｃをゴムブッシュ１０９の空洞部に嵌め込むように、それぞれ取り付けられている。
【００４０】
突出部１０１ｃの高さはゴムブッシュ１０９の高さよりも高く、先端がゴムブッシュ１０９より突出するようになっており、この突出した部分がプリント基板１０２の基板取り付け穴１０２ａに嵌るようになっている。また、このゴムブッシュ１０９はプリント基板１０２を収納ケース１０１に取付けた状態で、収納ケース１０１とプリント基板１０２によって挟み込まれている。
【００４１】
収納ボックス１の開口部１０３のそれぞれの角部には取付け穴１０１ｄが開けられているほか、プレス加工されたアルミ合金製のアルミ板１１０の角部には孔１１０ａが開けられており、アルミ板固定用ネジ１１１にてアルミ板１１０を収納ケース１０１に固定して、開口部１０３を閉口できるようになっている。
【００４２】
アルミ板１１０の内側面に密着して絶縁シート１１２が（たとえば２枚重ねている）固定ネジ１１３にて取り付けられているが、この絶縁シート１１２は安全規格を満足する電気絶縁性能（たとえば１７５０Ｖ、１分間の絶縁耐力試験に耐える）を持っている。
【００４３】
収納ケース１０１の底部にはサーミスタである温度センサー１１４を取付けるセンサー取付け部１０１ｅが一体形成されており、温度センサー１１４が挿入取付けされている。温度センサー１１４は、外部ノイズによる影響を極力無くすように、収納ケース１０１の壁面から最短の長さでコード１１４ａによってコネクタ１０４に接続する。
【００４４】
温度センサー１１４は、あらかじめ収納ケース１０１に取付けることができるので、改めて圧縮機１１７に温度センサーを取付ける工数を必要とせず、また、個別の温度センサー用のカバーを必要としない。
【００４５】
クラスタターミナル１１５は、コード１１５ａによりコネクタ１０５に接続されている。
【００４６】
電源コード１１６は交流電源に接続される。
【００４７】
密閉型の圧縮機１１７は、その外郭に接続端子１１７ａを有するほか、金属板を折り曲げ加工したブラケット１１８が溶接により取付けられている。
【００４８】
収納ケース１０１は収納ケース１０１の底部がブラケット１１８と向き合う方向に、取付け脚１０１ａを取り付けネジ１１９によってブラケット１１８に固定されることによって、圧縮機１１７に取り付けられている。このとき、センサー取付け部１０１ｅはブラケット１１８と密着し、ブラケット１１８を介して圧縮機１１７と熱伝導できるようになっている。
【００４９】
また、クラスタターミナル１１５は接続端子１１７ａに接続されている。
【００５０】
プリント基板１０２には圧縮機駆動用の半導体素子１２０が実装されているが、半導体素子１２０だけはコネクタ１０４等の他の部品とは反対側のアルミ板１１０と対向する実装面に実装されている。
【００５１】
半導体素子１２０は絶縁シート１１２が取り付けられたアルミ板１１０と密着しており、アルミ板１１０を収納ケース１０１に取付けることによってプリント基板１０２がゴムブッシュ１０９を圧縮状態にしている。
【００５２】
次に、圧縮機駆動装置のプリント基板１０２に構成されている制御回路１２１について図３を用いて説明する。
【００５３】
図３は、同実施の形態における圧縮機駆動装置の制御回路１２１のブロック図を示すものである。
【００５４】
図３において、圧縮機１１７を駆動するプリント基板１０２内の構成として、電源より電圧を入力する電源回路３０１と、半導体素子１２０の一例としてＩＰＭ（インテリジェントパワーモジュール）３０２と、圧縮機１１７の壁面に設置する温度センサー１１４と、ＩＰＭ３０２を制御するマイコン３０３と、ＩＰＭ３０２の電源電圧を検出する電圧検出手段３０４と、マイコン３０３の制御状態、及び圧縮機１１７の温度異常などを外部へ通知する通信手段３０５を具備している。
【００５５】
温度センサー１１４は、電源回路３０１がＩＰＭ３０２へ直流電源を供給する間に接続する。
【００５６】
ここで、温度センサー１１４のコード１１４ａは、収納ケース１０１の壁面に取付けであるから十分に短く構成できるので、外部ノイズの影響を受けにくく、特別なフィルタ回路を構成する必要がない（フェライトなどの軽度のノイズ除去用のフィルタ回路は図示せず）。
【００５７】
図３は、交流電源を入力する場合を示したものであり、電源回路３０１は、フィルタ回路３０６、整流回路３０７により構成される。直流電源を入力する場合は、電源回路３０１には整流回路３０７は不要となり、フィルタ回路３０６のみで構成される（図示せず）。
【００５８】
以上のように構成された圧縮機駆動装置について、以下その動作を説明する。
【００５９】
圧縮機駆動装置の電源印加時、交流電源であれば、電源回路３０１内のフィルタ回路３０６を通り、ノイズが除去され、整流回路３０７を通り、交流電圧から直流電圧に変換された直流電圧が、直流電源であれば、電源回路３０１内のフィルタ回路３０６を通り、ノイズが除去された直流電圧が、電源回路３０１よりＩＰＭ３０２、及びマイコン３０３に供給される。
【００６０】
ここで、ＩＰＭ３０２が電源回路３０１より供給される２種類の電圧について説明する。
【００６１】
１つ目は、ＩＰＭ３０２を駆動するための電源電圧であり、電源回路３０１から温度センサー１１４を通り、ＩＰＭ３０２へ入力される。
【００６２】
２つ目は、圧縮機１１７を駆動するための駆動電圧であり、電源回路３０１から直接入力ＩＰＭ３０２へ入力される。
【００６３】
次に、ＩＰＭ３０２、マイコン３０３の動作について説明する。
【００６４】
ＩＰＭ３０２は、圧縮機１１７を駆動するための駆動電圧を圧縮機１１７に印加する、しないを制御するものである。圧縮機１１７を駆動させる時は、マイコン３０３からＩＰＭ３０２へ制御信号を出力し、その制御信号を受けてＩＰＭ３０２は、圧縮機１１７に対して、電源回路３０１から印加された電圧を印加する。
【００６５】
なお、図示している圧縮機１１７は、３相モータであり、圧縮機１１７の駆動制御に関しては、周知の如く、３線あるものをそれぞれＵ、Ｖ、Ｗとすると、Ｕ、Ｖ、Ｗの２線を互い合わせに通電していくことにより動作するものである。
【００６６】
ここで、本実施の形態で記載しているＩＰＭ３０２は、トランジスタとＦＥＴ、もしくはＩＧＢＴにて構成される複合型モジュールである。
【００６７】
マイコン３０３の動作は、ＩＰＭ３０２に制御信号を出力し、圧縮機１１７を制御するだけでなく、電圧検出手段３０４により、ＩＰＭ３０２の電源電圧値を入力し、電圧が規定の電圧でなければ、通信手段３０５へ異常状態を出力する。
【００６８】
ここで、本実施の形態ではＩＰＭ３０２の電源電圧値の異常の出力先として通信手段３
０５を例に挙げているが、別機器と接続して通信していない場合、外部信号の一種として、異常表示を行う方法も含んでおり、何らかの形で外部へ情報を伝達することを示唆している。
【００６９】
マイコン３０３の指令によりＩＰＭ３０２がスイッチング動作を行い、圧縮機１１７を駆動するとＩＰＭ３０２が発熱するが、その発熱は密着しているアルミ板１１０へ熱伝達し、収納ケース１０１の外部へと放熱される。
【００７０】
圧縮機１１７が運転されると圧縮機１１７の温度も上昇するが、それとともにブラケット１１８の温度も同じように上昇し、収納ケース１０１に取付けられた温度センサー１１４の温度も同じように上昇する。
【００７１】
温度センサー１１４の温度が規定値以上に上昇すると、温度センサー１１４がオープン状態となり、ＩＰＭ３０２へ供給される直流電源が遮断され、圧縮機１１７の動作が強制的に停止する。
【００７２】
従って、温度センサー１１４はブラケット１１８および収納ケース１０１を介して圧縮機１１７と熱伝導できる構造を取っており、圧縮機１１７の温度をより正確に検知して、圧縮機１１７の過負荷保護動作をさせることができる。
【００７３】
次に、圧縮機駆動装置の圧縮機１１７の過負荷異常時の動作についての一例を、図４を用いて説明する。
【００７４】
図４は、同発明の実施の形態における圧縮機駆動装置の圧縮機１１７の過負荷異常に対するフローチャートを示すものである。
【００７５】
圧縮機１１７の過負荷異常により、温度センサー１１４が動作したかどうか（Ｓｔｅｐ４０１）により圧縮機駆動装置の動作が異なる。
【００７６】
温度センサー１１４が動作せず、圧縮機１１７が正常と判断されれば、Ｓｔｅｐ４０６までの動作は発生せず、Ｓｔｅｐ４０７を行なう。
【００７７】
圧縮機１１７に過負荷異常が発生した時、圧縮機１１７に設置している収納ケース１０１の壁面に取り付けられた温度センサー１１４が過昇により断線する。（Ｓｔｅｐ４０２）
温度センサー１１４が断線すると、電源回路３０１からＩＰＭ３０２に接続されている直流電源の供給が物理的に遮断されるので、ＩＰＭ３０２への電源供給が行われず、マイコン３０３がＩＰＭ３０２に圧縮機１１７の制御信号を出力していようとも動作が強制的に停止する。（Ｓｔｅｐ４０３、Ｓｔｅｐ４０４）
ＩＰＭ３０２が停止することにより、圧縮機１１７に印加されていた電圧が遮断され、圧縮機１１７は停止する。（Ｓｔｅｐ４０５、Ｓｔｅｐ４０６）
ここで、圧縮機１１７の過負荷異常により、温度センサー１１４の動作（Ｓｔｅｐ４０１）から圧縮機１１７の過負荷異常により、温度センサー１１４が動作したかどうかによる停止（Ｓｔｅｐ４０６）までは、マイコン３０３の制御には関わらず、物理的なハードウェア処理として行なわれるものである。
【００７８】
マイコン３０３は、定期的に電圧検出手段３０４によりＩＰＭ３０２の電源電圧を取得する。（Ｓｔｅｐ４０７）
マイコン３０３は、ＩＰＭ３０２の電源電圧が正常かどうかを判断し、正常であれば何もせず、異常であれば、圧縮機１１７の過負荷異常により、温度センサー１１４が動作し
たかどうかが発生したことにより、温度センサー１１４が断線したとして、Ｓｔｅｐ４０９へ移行する。（Ｓｔｅｐ４０８）
Ｓｔｅｐ４０９は、圧縮機１１７の過負荷異常により、温度センサー１１４が動作したかどうかが発生を温度センサー１１４が断線したことを通信手段３０５に出力する。
【００７９】
この時、マイコン３０３が暴走状態であっても圧縮機１１７の停止（Ｓｔｅｐ４０６）までの動作は行われる為、ソフトウェアバグや外来ノイズによるマイコン３０３の誤動作などの不測の要因を排除することができ、より信頼性の高い圧縮機駆動装置を提供することができる。
【００８０】
以上のように、本発明の実施により、圧縮機１１７の巻線温度の異常に対して、マイコン３０３を介さずに圧縮機１１７に起因するＩＰＭ３０２のみを停止させることができるため、万が一電源ノイズや静電気などによりマイコン３０３が暴走していた時でも、安全に機能を停止させることができ、同時にマイコン３０３により圧縮機１１７の制御機能に関与しない他の機能を継続して動作させることで、異常表示や、連動する機器への異常情報の通信などの、外部に対して機器の異常原因、情報の伝達を行なうことができる。
【００８１】
さらに、圧縮機１１７の巻線の外周に設置する温度センサー１１４の接続箇所を電源回路３０１がＩＰＭ３０２へ電源を供給する箇所にすることにより、電源回路３０１に印加する電圧が直流電源であった場合は、ＩＰＭ３０２とマイコン３０３の電源供給が同じ電源回路３０１で構成できることは言うまでもない。
【００８２】
また、電源回路３０１に印加する電圧が交流電源であった場合でも、電源回路３０１内の整流回路３０７を介してＩＰＭ３０２とマイコン３０３を同じ電源としても、ＩＰＭ３０２の電源のみを遮断できる。
【００８３】
よって、圧縮機１１７の過負荷異常により、温度センサー１１４の動作時でもマイコン３０３を動作させたい場合でも、１つの整流回路３０７、つまり、直流電源であっても温度センサー１１４を含む電源回路３０１以外の構成部品を同部品とすることができ、直流・交流共通使用の部品を拡げられるので、開発効率を上げることができる。
【００８４】
また、温度センサー１１４の接続箇所が、電源回路３０１を介してＩＰＭ３０２へ供給される電源電圧とは異なった直流電圧であって、高電圧・大電流箇所ではないので、直流電源、交流電源に直接通電される箇所に接続される場合に比べて、よりコンパクトで安価な部品で構成することができる。
【００８５】
（実施の形態２）
図５は、実施の形態１における圧縮機駆動装置を用いて駆動される圧縮機を有する冷凍装置およびそれを搭載した冷蔵庫の構成図を示すものである。
【００８６】
冷凍装置は圧縮機１１７および蒸発器および凝縮器からなり、冷蔵庫２０１の内部の収納空間を冷却するものであり、冷蔵庫に備えられている。
【００８７】
図において、冷蔵庫本体の冷却動作等を制御する制御装置を搭載した制御基板２０５は、圧縮機電線２０３を介して、冷蔵庫の本体側である天面に配置されており、駆動される圧縮機１１７を搭載した冷凍装置によって運転される冷蔵庫２０１を示している。
【００８８】
圧縮機を複数の回転数で駆動するためのインバータ回路を搭載したプリント基板１０２は冷蔵庫本体の機械室２０２に圧縮機１１７と隣接して配置されている収納ケース１０１内に収納されている。
【００８９】
このように、実施の形態１において詳細な説明を行った圧縮機駆動装置は機械室２０２内の収納ケース１０１に収納されている。
【００９０】
以上のように構成された冷蔵庫２０１について、その動作・作用を以下に説明する。
【００９１】
定常の冷蔵庫の制御に加えて、圧縮機を複数の回転数で回転駆動するインバータ回路は、ノイズが発生しやすいが、温度センサーのコードは、収納ケース１０１の壁面に取付けであるから十分に短く構成できるので、外部ノイズの影響を受けにくく、より低騒音でインバータ駆動の冷蔵庫を提供することができる。
【００９２】
また、圧縮機１１７を駆動する圧縮機駆動装置の制御回路が外部ノイズの影響を受けにくいので、誤動作等を低減することができ、より信頼性の高い冷凍装置および冷蔵庫を提供することができる。
【００９３】
また、本発明では、異常時に直流電源のみを遮断することができるので、マイコンが暴走したといった場合でも、確実に圧縮機の駆動を停止することができる。
さらにこういった異常停止する場合であっても、マイコンを含めたすべてを遮断するのではなく、基板のみを確実に停止することができるので、マイコンの情報を強制リセットすることなく、情報は保持したままプリント基板１０２を停止することができる。
【００９４】
なお、本実施の形態では、制御基板２０５は冷蔵庫の天面に配置しているが、インバータ回路を搭載したプリント基板１０２が配置されている機械室２０２内よりも圧縮機１１７から遠い箇所である冷蔵庫の背面等に設置した場合であれば、同様にインバータ基板と圧縮機とを接続するコードを短く構成することができるので、同様の効果が得られる。
【産業上の利用可能性】
【００９５】
以上のように、本発明にかかる圧縮機駆動装置は、装置の電源の種類に関わらず、圧縮機の過負荷異常時にマイコンを介さずに圧縮機の関わる機能を停止させることができるので、同圧縮機の使用が考えられるエアコン、冷蔵庫等の家庭用電気機器や、電気自動車等の用途にも適用できる。また電源電圧変動の多い地域にも有用である。
【符号の説明】
【００９６】
１０１  収納ケース
１０２  プリント基板
１１４  温度センサー
１１７  圧縮機
１２０  半導体素子
１２１  制御回路
３０１  電源回路
３０２  ＩＰＭ
３０３  マイコン
３０４  電圧検出手段
３０５  通信手段
【図３】
2014177880.tif 000003
【図４】
2014177880.tif 000004
【図１】
2014177880.tif 000005
【図２】
2014177880.tif 000006
【図５】
2014177880.tif 000007
【図６】
2014177880.tif 000008
【図７】
2014177880.tif 000009